(57)【特許請求の範囲】
【請求項１】
テーブル（１１）と付勢用取付部（４３）を有し、該付勢用取付部（４３）を介してテーブル（１１）が自動車内に取り付けられて垂下した不使用状態と略水平の使用状態間を回転可能とされるテーブル装置（１０）であって、
前記テーブル（１１）の取付側端部（１２）が裏側へ略コの字形の屈曲片（１５）とされ、
前記屈曲片（１５）の内側には該屈曲片（１５）に沿って軸部材（３１）が設けられ、
前記軸部材（３１）に、車内への固定用背板部（４７）と該背板部（４７）の上方へ突出した腕部（４９）及び押圧片（５０）とを有する付勢用取付部（４３）が、前記腕部（４９）で回転可能に取り付けられて、前記テーブル（１１）を垂下状態から略水平となるように回転させるときには、前記屈曲片（１５）の開放端（１５ａ）と押圧片（５０）が接触して当該屈曲片（１５）及び押圧片（５０）の両方またはいずれかが弾性変形し、該弾性変形により生じる弾性復元力でテーブル（１１）に下向きへの回転力を生じるようにされ、
前記付勢用取付部（４３）の背板部（４７）には、テーブル水平支持用回転アーム（５３）がその一端側の回転軸（５４）を前記軸部材（３１）と略平行にして、かつ他端の係止端（５５）側がテーブル（１１）側へ回転するように付勢ばね（８１）で付勢されて取り付けられ、
前記テーブル（１１）には、該テーブル（１１）が略水平とされた際に前記テーブル水平支持用回転アームの係止端（５５）を係止する係止爪（６１）が設けられるとともに、前記テーブル水平支持用回転アームの係止端（５５）を係止爪（６１）から外して該テーブル水平支持用回転アーム（５３）及び前記テーブル（１１）を回転可能にする係止解除手段（７０）を設けたことを特徴とする自動車用テーブル装置。
【請求項２】
前記テーブル水平支持用回転アーム（５３）が、パイプ状のものを略四角形枠状とし、一辺を回転軸（５４）、反対辺を係止端（５５）、他の辺を側部（５６）とするとともに、前記回転軸（５４）の途中をばね挿入口（５３ａ）としたものからなり、前記付勢ばね（８１）が、前記テーブル水平支持用回転アーム（５３）のばね挿入口（５３ａ）から少なくとも回転軸（５４）及び側部（５６）内に挿入されているアーム内収容部分（８３）と、前記テーブル水平支持用回転アーム（５３）外で背板部（４７）に先端側（８７）で固定されるアーム外部分（８５）とよりなって、前記アーム外部分（８５）とアーム内収容部分（８３）が折り返し部（８４）を介して一連とされ、かつ前記アーム外部分（８５）が折り返し部（８４）と先端側（８７）固定部（８５）との間に回転用屈曲部（８６ａ）を有することを特徴とする請求項１記載の自動車用テーブル装置。
【請求項３】
前記テーブル水平支持用回転アームの係止端（５５）と係止爪（６１）において互いに接触する部分の少なくとも一方に緩衝材（５７）を設けたことを特徴とする請求項１または２記載の自動車用テーブル装置。
【請求項４】
前記テーブル（１１）にカップ挿入保持孔（１７）が形成され、該カップ挿入保持孔（１７）に挿入されたカップ類の底面を支えるためのカップ底面支持部材（２１）が、その先端側（２２）の回転軸（２３）を前記軸部材（３１）と略平行にして前記テーブル（１１）裏側に回転可能に取り付けられ、前記回転によりカップ挿入保持孔（１７）裏側に垂下したりテーブル（１１）裏面に重なったりするようにされていることを特徴とする請求項１ないし３のいずれかに記載の自動車用テーブル装置。
【請求項５】
前記カップ底面支持部材（２１）が、カップ挿入孔（１１）裏側に垂下するようにスプリング（２５）で付勢されていることを特徴とする請求項４記載の自動車用テーブル。
【発明の詳細な説明】
【０００１】
【発明の属する技術分野】
この発明は自動車内に取り付けられるテーブル装置に関し、特にはテーブルが垂下した不使用状態と、水平の使用状態との間を回転できるテーブル装置に関する。
【０００２】
【従来の技術】
自動車内には、飲食物や、地図などを置くためなどに、車内の壁面や、床面から立設された支持部材等にテーブル装置が設けられることが多い。そのテーブル装置としては、不使用時には邪魔にならないように垂下した状態とされ、使用時には回転により水平とされるものが提案されている。
【０００３】
【発明が解決しようとする課題】
しかし、従来の前記回転式のテーブル装置にあっては、使用時に使用者が片手でテーブルを水平に保持しながら、他方の手をテーブル裏面に差し込んで支持部材をテーブル裏面に係止する作業をしなければならず、また、不使用時には、テーブル裏面に手を差し込んで前記支持部材を外さねばならず、取り扱いが面倒であった。また、耐久性も十分とは言い難かった。
【０００４】
しかも、従来のテーブル装置は、大型であるのみならず、水平状態の使用時においても、ガタツキやすく、安心感が十分とはいいがたかった。例えば、飲みかけの飲料水が入ったカップや缶飲料、すなわちカップ類をテーブルの上に置く場合などには、自動車の振動に加えてテーブル自体のガタツキも作用するため、カップ類が倒れやすい不安感を乗員に与えていた。
【０００５】
そこで、本発明は、テーブルを回転によって垂下させた不使用状態と略水平な使用状態とにでき、しかも略水平時にはテーブルをガタツキなく確実に固定でき、装置全体をコンパクトにでき、加えて操作が簡単、使用感が良好で、耐久性に優れ、安心感の高いテーブル装置を目的とするものである。
【０００６】
【課題を解決するための手段】
請求項１に係る発明は、テーブルと付勢用取付部を有し、該付勢用取付部を介してテーブルが自動車内に取り付けられて垂下した不使用状態と略水平の使用状態間を回転可能とされるテーブル装置であって、前記テーブルの取付側端部が裏側へ略コの字形の屈曲片とされ、前記屈曲片の内側には該屈曲片に沿って軸部材が設けられ、前記軸部材に、車内への固定用背板部と該背板部の上方へ突出した腕部及び押圧片とを有する付勢用取付部が、前記腕部で回転可能に取り付けられて、前記テーブルを垂下状態から略水平となるように回転させるときには、前記屈曲片の開放端と押圧片が接触して当該屈曲片及び押圧片の両方またはいずれかが弾性変形し、該弾性変形により生じる弾性復元力でテーブルに下向きへの回転力を生じるようにされ、前記付勢用取付部の背板部には、テーブル水平支持用回転アームがその一端側の回転軸を前記軸部材と略平行にして、かつ他端の係止端側がテーブル側へ回転するように付勢ばねで付勢されて取り付けられ、前記テーブルには、該テーブルが略水平とされた際に前記テーブル水平支持用回転アームの係止端を係止する係止爪が設けられるとともに、前記テーブル水平支持用回転アームの係止端を係止爪から外して該テーブル水平支持用回転アーム及び前記テーブルを回転可能にする係止解除手段を設けたことを特徴とする自動車用テーブル装置。
【０００７】
請求項２に係る発明は、前記テーブル水平支持用回転アームが、パイプ状のものを略四角形枠状とし、一辺を回転軸、反対辺を係止端、他の辺を側部とするとともに、前記回転軸の途中をばね挿入口としたものからなり、前記付勢ばねが、前記テーブル水平支持用回転アームのばね挿入口から少なくとも回転軸及び側部内に挿入されているアーム内収容部分と、前記テーブル水平支持用回転アーム外で背板部に先端側で固定されるアーム外部分とよりなって、前記アーム外部分とアーム内収容部分が折り返し部を介して一連とされ、かつ前記アーム外部分が折り返し部と先端側固定部との間に回転用屈曲部を有することを特徴とする。
【０００８】
請求項３に係る発明は、前記テーブル水平支持用回転アームの係止端と係止爪において互いに接触する部分の少なくとも一方に緩衝材を設けたことを特徴とする。
【０００９】
請求項４に係る発明は、前記テーブルにカップ挿入保持孔が形成され、該カップ挿入保持孔に挿入されたカップ類の底面を支えるためのカップ底面支持部材が、その先端側の回転軸を前記軸部材と略平行にして前記テーブル裏側に回転可能に取り付けられ、前記回転によりカップ挿入保持孔裏側に垂下したりテーブル裏面に重なったりするようにされていることを特徴とする。
【００１０】
請求項５に係る発明は、前記カップ底面支持部材が、カップ挿入孔裏側に垂下するようにスプリングで付勢されていることを特徴とする。
【００１１】
【発明の実施の形態】
以下、この発明の実施例について図面を用いて説明する。図１はこの発明の一実施例に係るテーブル装置の一部切り欠き斜視図、図２はその裏側から見た斜視図、図３は図２の部分拡大図、図４は付勢ばねの取り付けられたテーブル水平支持用回転アームの平面図、図５はその回転軸付近を示す斜視図、図６は付勢ばねの斜視図、図７は不使用時を示す図１の７−７位置での断面図、図８は水平にする途中を示す断面図、図９は使用時を示す断面図、図１０は図９の部分拡大断面図、図１１は係止解除時を示す断面図である。
【００１２】
図１ないし図３に示すテーブル装置１０は、図７ないし図１１のように自動車内の壁面Ｗ１に取り付けられ、あるいは床面に立設された支持部材Ｗ２等に取り付けられ、図７に示すような不使用時における垂下状態と、図９及び図１０に示すような使用時における略水平状態との間で回転できるものである。符号１２は取付側端部、１３は自由側端部である。
【００１３】
前記テーブル装置１０は、テーブル１１と取付部４１とを有する。テーブル１１は、この例のような略長方形からなる所要寸法の天板部１４と、該天板部１４の一長辺側とされる取付側端部１２が裏側へ略コの字形に屈曲してなる屈曲片１５とを有し、さらにこの例では天板部１４の他の周縁が裏側へ折り曲げられて周壁１６を形成している。テーブル１１の材質は、ＡＢＳ樹脂やポリプロピレン樹脂等からなる硬質プラスチック板、あるいは硬質プラスチック板の表面に塩化ビニル樹脂等からなるプラスチックシート等の表皮が積層されたもの、あるいは硬質プラスチック板にポリウレタン発泡体等の発泡体及びプラスチックシート等の表皮が積層されたもの等で構成される。
【００１４】
前記天板部１４には所要位置に缶飲料等を立てて挿入できる大きさのカップ挿入保持孔１７が形成され、そのカップ挿入保持孔１７の裏側にカップ底面支持部材２１が設けられている。このカップ底面支持部材２１は、カップ挿入保持孔１７に挿入された缶飲料やカップ等のカップ類底面を支持するものである。また、この例のカップ底面支持部材２１は、前記カップ挿入保持孔１７の裏側を跨ぐ（またぐ）大きさをした略Ｕ字形状の金属またはプラスチック製フレームからなって、その先端（上端）側２２で前記カップ挿入保持孔１７裏側の外周縁に回転可能に軸着されている。なお、このカップ底面支持部材２１における回転軸２３は、後記軸部材３１と平行にされる。そのような構成としたことによって、このテーブル１１を不使用時に下向きに回転させて垂下させる際、このカップ保持ホルダー１１が取り付けられている車内の壁面Ｗ１等に前記カップ底面支持部材２１の底部側２４が当たって押されると、カップ底面支持部材２１が前記先端（上端）側２２を回転中心としてテーブル１１の天板部１４裏面へ重なるように回転し、テーブル１１を垂下させることの妨げにならない。
【００１５】
さらに、この実施例では、前記カップ底面支持部材２１を天板部１４裏面に対して略垂直となるように付勢するスプリング２５がカップ底面支持部材２１と天板部１４裏面間に取り付けられている。その構成としたことによって、前記車内の壁面等でカップ底面支持部材２１が押されるときには、スプリング２５の弾性に逆らってカップ底面支持部材２１が回転してテーブル１１の天板部１４裏面に重なるようになり、また前記テーブル１１が上方へ回転して略水平にされるときには、前記スプリング２５の復元力により、再びカップ底面支持部材２１がテーブル１１の天板部１４裏面に対し垂直にぶら下がり、カップ挿入保持孔１７の下方に位置するようになる。なお、この実施例では、前記スプリング２５により、カップ底面支持部材２１をテーブル１１の天板部１４裏側で自由端側端部１３から取付側端部１２方向へ回転するように付勢し、カップ底面支持部材２１が天板部１４裏面に対して略垂直となったときに、カップ底面支持部材２１に形成した係合突起２６とテーブル１１裏側に形成した係合片１８が衝突し、それ以上同方向へカップ底面支持部材２１が回転するのを阻止する構造となっている。
【００１６】
また、この実施例において、前記屈曲片１５は、テーブル１１の天板部１４裏面との角度を広げるように外方（図３及び図５に示すＳ方向）へ押圧されて変形すると、その変形に対する弾性復元力が、テーブル１１自体の剛性及び屈曲片１５の形状によって生じるようにされている。この屈曲片１５の内面側には、金属又はプラスチック等からなる軸部材３１が該屈曲片１５に沿って取り付けられ、その軸部材３１に車内の壁面Ｗ１等への取付部４１が、テーブル１１との相対的な回転を可能にして取り付けられている。符号３２は、前記軸部材３１をテーブル１１の裏面に固定する金具である。
【００１７】
この実施例の取付部４１は、前記軸部材３１の両端に取り付けられる両側取付部４２，４２と、両側取付部４２間に位置する付勢用取付部４３とよりなり、金属またはプラスチック等で形成されている。両側取付部４２は、細幅の板状体からなり、その一端が前記軸部材３１の外周を巻くようにして取り付けられ、他端側には車内の壁面等への固定用ビス孔４４が形成されている。
【００１８】
付勢用取付部４３は、前記両側取付部４２よりも幅広の補助板４５と、該補助板４５より長く形成されて補助板４５上方へ突出する主板４６とよりなり、当該補助板４５に主板４６の下部側が重ねられてリベットや溶接等で一体にされ、前記主板４６の重ね合わせ部及び補助板４５部分が、車内の壁面Ｗ１等へ固定される背板部４７を構成する。符号４８は車内の壁面等への固定用ビス孔である。なお、前記付勢用取付部４３は一枚の板状体で構成してもよい。
【００１９】
前記主板４６の上端には、二股に分かれた腕部４９，４９と、該腕部４９間に位置する押圧片５０が突出形成されている。前記腕部４９はその先端が前記軸部材３１の外周を巻くようにして取り付けられている。また、前記押圧片５０は腕部４９よりも短く形成され、前記テーブル１１の回転により、この付勢用取付部４３の背板部４７と前記テーブル１１の天板部１４裏面間の角度が０〜９０度の範囲で所定角度以上になった際に、前記テーブル１１の取付側端部１２における屈曲片１５の開放端１５ａと接触し、該屈曲片１５を外方Ｓへ押して屈曲片１５に弾性復元力を生じさせるように設けられる。前記押圧片５０と屈曲片の開放端１５ａが接触開始する際の背板部４７とテーブル１１の天板部１４裏面間の角度は０〜９０度間の適宜の値とされるが、例として７０度前後を挙げる。
【００２０】
また、前記背板部４７にはテーブル水平支持用回転アーム５３が一端側で、その回転軸５４を前記軸部材３１と略平行にして回転可能に取り付けられている。このテーブル水平支持用回転アーム５３は、前記テーブル１１をその使用時に略水平に維持するとともに、不使用時には前記水平維持維を解除してテーブル１１を下向きに回転可能にするものであり、前記背板部４７への取り付け側の回転軸５４とは反対の端部が係止端５５とされ、前記略水平状態のテーブル１１における天板部１４裏面の係止爪６１に係止するようになっている。
【００２１】
この実施例のテーブル水平支持用回転アーム５３は、図４及び図５からよりよく理解されるように、金属あるいはプラスチック製のパイプ状のものが、略四角形の枠状とされ、その取り付け側の一辺が回転軸５４、反対辺が係止端５５、他の辺が側部５６とされ、前記回転軸５４の途中が分断し、ばね挿入口５３ａとして開いている。前記回転軸５４のばね挿入口５３ａは、前記付勢用取付部４３の補助板４５と主板４６間で隠蔽されるようにして当該補助板４５と主板４６間に回転可能に挟持されている。前記挟持部分４６ａではテーブル水平支持用回転アーム５３の回転軸５４が回転できるように、主板４６が半割円筒状に湾曲している。前記水平支持用回転アーム５３内には、前記回転軸５４のばね挿入口５３ａから付勢ばね８１が挿入され、該付勢ばね８１の先端側８７が前記背板部４７に係止されている。
【００２２】
前記付勢ばね８１は、前記テーブル水平支持用回転アーム５３の係止端５５をテーブル１１の天板部１４裏面に常時当接するように付勢して、前記テーブル１１を略水平とした際に、テーブル１１の天板部１４裏面の係止爪６１に容易に係止できるようにするものである。この実施例の付勢ばね８１は図４ないし図６から理解されるように、一連の線材よりなって、アーム内収容部分８３とアーム外部分８５が略Ｕ字形の折り返し部８４を介して一連となっている。前記アーム内収容部分８３は、テーブル水平支持用回転アーム５３のばね挿入口５３ａから少なくとも回転軸５４及び側部５６内に挿入される部分、さらにはこの例のように係止端５５内にも挿入される部分であり、前記回転軸５４と側部５６の境界位置及び側部５６と係止端５５との境界位置が、テーブル水平支持用回転アーム５３の形状に合わせた第一屈曲部８３ａ，第二屈曲部８３ｂとなっている。それに対してアーム外部分８５は、前記ばね挿入口５３ａからテーブル水平支持用回転アーム５３外へ出る部分で、アーム外部分８５の先端側８７に前記背板部４７へ固定される固定部８８を有し、前記折り返し部８４から固定部８８間に回転用屈曲部８６ａ、固定用屈曲部８６ｂを有する。さらにこの実施例では、前記折り返し部８４からアーム外部分８５の回転用屈曲部８６ａまでと、前記折り返し部８５からアーム内収容部分８３の第一屈曲部８３ａまでの間とは略平行とされ、さらに、前記折り返し部８４からアーム外部分８５の回転用屈曲部８６ａ部分までが、前記回動軸８５とともに主板４６と補助板４５の挟持部分４６ａに位置する。
【００２３】
前記のような付勢ばね８１は、前記折り返し部８４付近、正確には前記テーブル水平支持用回転アーム５３の側部５６と回転軸５４との境界部に位置するアーム内収容部８３の第一屈曲部８３ａから折り返し部８４を経てアーム外部分８５の回転用屈曲部８６ａに至る範囲Ｌが、テーブル水平支持用回転アーム５３の回転時に、いわゆる「トーションバーばね」としてばね変形し、テーブル水平支持用回転アーム５３とともに回転する（ねじれる）ため、そのばね変形範囲が広くなって疲労が一箇所に集中しないので、付勢ばね８１をコンパクトにしても破断しにくく、耐久性に優れるようになる。なお、前記実施例の付勢ばね８１は、一方のアーム外部分８５ａから他方のアーム外部分８５ｂまで一連のもので構成されているが、途中で分離した二つのものとしたり、その二分した一方のみを用いたりしてもよい。後者の場合、付勢ばね８１は、前記テーブル水平支持用回転アーム５３の片側の側部５６及び回転軸５４を通って一側のアーム外部分８５ａ（８５ｂ）に至る形状からなる。
【００２４】
さらに、この実施例では、前記係止端５５の外周にはフェルトや発泡体、ゴム等からなる緩衝材５７が設けられ、それによって、係止端５５が係止爪６１に確実に係止し、また係止後のガタツキもより効果的に防止できるようにされている。
【００２５】
前記テーブル１１の天板部１４裏面には、係止爪６１の切り起こされた金属製の係止基板６０が固着されている。前記係止爪６１は、前記テーブル１１の略水平時に、該テーブル１１の天板部１４裏面と当接するように付勢されている前記テーブル水平支持用回転アーム５３の係止端５５を、その両側で挟んで係止し、当該テーブル１１をそれ以上どちらの方向へも回転できないようにするもので、前記テーブル水平支持用回転アームの係止端５５を挟んで軸部材３１側に位置する第一係止爪６３と、反対側の第二係止爪６５とよりなる。第一係止爪６３と第二係止爪６５は、前記テーブル水平支持用回転アーム５３における緩衝材５７で包囲された係止端５５を、ガタツキなく挟持できる間隔とされる。また、前記係止端５５に緩衝材５７を設けるのに代えて、この第一係止爪６３及び第二係止爪６５における前記係止端５５との当接面に緩衝材を設けたり、あるいは前記係止端５５と両係止爪６３，６５の双方に緩衝材を設けてもよい。
【００２６】
前記第一係止爪６３は、前記テーブル１１が、使用時の略水平状態よりも上方へ回転するのを防止し、また後記する係止解除時には前記係止端５５を第一係止爪６３と第二係止爪６５先端（下端）間の隙間（図５及び図６に符号６６で示す部分）から係止爪６１外へ誘導するもので、前記上方への回転防止及び係止解除時の誘導用に、第一係止爪６３先端（下端）がわずかに前記軸部材３１とは反対側へ屈曲した鈎形状部６４とされている。
【００２７】
それに対し、第二係止爪６５は、前記テーブル１１が、その使用中に略水平状態から下向きに回転するのを防止するもので、下向きへの回転に対して前記係止端５５と衝突して前記下方回転を阻止するようになっている。また、この第二係止爪６５は、前記第一係止爪６３よりも係止基板６０裏面からの突出量が短く（低く）され、前記第一係止爪６３の鈎形状部６４先端と第二係止爪６５先端（下端）間に、前記テーブル水平支持用回転アーム５３の係止端５５がすり抜けられる大きさの隙間６６を生じるようになっている。さらに、この前記第二係止爪６５は、テーブル１１の自由側端部１３側から第一係止爪６３へ向かって係止基板６０裏面からの突出量が大になるように傾斜し、かつ第二係止爪６５における第一係止爪６３側の先端が係止基板６０裏側へ折り曲げられて、前記係止端５５との衝突面となっている。それによって、前記テーブル１１を下向きから略水平位置まで回転させる際には、前記係止端５５が第二係止爪６５を乗り越えて第一係止爪６３と第二係止爪６５間にスムーズに係止でき、また、後記係止解除手段７０による係止解除が可能になる。さらにこの実施例では、前記第二係止爪６５が、前記軸部材３１と平行に所要距離で二つ形成されており、その第二係止爪６５，６５間において、前記係止時に係止端５５の位置する部分では係止基板６０に開口部（図３等に符号６７で示す部分）が形成されている。
【００２８】
また、前記係止基板６０には、前記テーブル水平支持用回転アームの係止端５５と係止爪６１との係止を必要時に解除して、前記テーブル１１を下向きに回転させることができるようにするための係止解除手段７０が設けられている。
【００２９】
この実施例における係止解除手段７０は、図３及び図１０からより容易に理解されるように、係止解除爪７１を一端に、操作つまみ７３を他端に有し、前記係止基板６０の上面（テーブル１１の天板部１４を向く面）に、シーソーのように上下揺動可能に中間部で取り付けられた揺動体７４と、該揺動体７４の係止解除爪７１側を前記テーブル水平支持用回転アームの係止端５５から離れるように上方へ付勢するスプリング７５とよりなる。
【００３０】
前記係止解除爪７１は第二係止爪６５間の開口部６７上に位置し、それに対し、前記操作つまみ７３は前記テーブル１１の自由側端部１３の周壁１６から露出するように位置する。この係止解除手段７０によれば、前記係止状態時に操作つまみ７３を押し上げると、前記係止解除爪７１が下方へ揺動して前記開口部６７を通り、前記テーブル水平支持用回転アームの係止端５５を押し下げ、該係止端５５を前記第一係止爪６３の先端（下端）と第二係止爪６５先端（下端）間の隙間６６へ移動させることができる。そして、その状態でテーブル１１を下方へ回転させれば、前記隙間６６を通して係止端５５を第二係止爪６５の外方へ出し、前記係止を解除できる。なお、前記スプリング７５は揺動体７４のガタツキを防ぐもので、必ずしも必要とされない。また、前記操作つまみ７３には、外観向上等のために、つまみ用キャップを設けてもよい。
【００３１】
次に、前記テーブル装置１０の使用時の作動を説明する。図７は不使用時の状態を示す。このとき、テーブル１１は、車内の壁面Ｗ１等に、前記取付部４１を介して取り付けられており、前記テーブル水平支持用回転アーム５３の係止端５５と係止爪６１との係止が解除された状態にある。そのため、前記テーブル１１は、自重により前記軸部材３１を回転軸として自由側端部１３が下方へ回転し、壁面Ｗ１等に沿って垂下している。また、前記カップ底面支持部材２１は、壁面Ｗ１等に押されてテーブル１１の天板部１４裏面側に重なった状態となっている。
【００３２】
前記テーブル装置１０を使用する際は、図７ないし図１０示すように、前記テーブル１１の自由側端部１３を上方へ押し上げ、テーブル１１が略水平位置になるまで回転させる。このとき、前記テーブル水平支持用回転アーム５３の係止端５５は、前記付勢ばね８１の付勢によりテーブル１１の天板部１４裏面へ押されながら、前記自由側端部１３から係止爪６１に近づく。また、前記カップ底面支持部材２１は徐々にテーブル１１の天板部１４裏面から下方へ起き上がった状態となる。
【００３３】
そして、前記のようにテーブル１１の上方回転角度が所定角度を過ぎると、図８に示すように、前記取付側端部１２における屈曲片１５の開放端１５ａに付勢用取付部４３の押圧片５０が接触し、さらにテーブル１１を上方へ回転させると屈曲片１５が外方Ｓへ押されて、その弾性復元力が徐々に大きくなる。前記テーブル１１が、図９及び図１０のように略水平位置に至ると、前記テーブル水平支持用回転アーム５３の係止端５５が、テーブル１１の天板部１４裏面の第二係止爪６５先端（下端）を乗り越え、第一係止爪６３と第二係止爪６５間に係止される。その際、前記屈曲片１５の復元力によってテーブル１１には軸部材３１を回転軸として下向きの回転力が働くため、前記係止端５５とテーブル１１の天板部１４裏面が圧着してガタツキがなくなり、しかも係止端５５が第一係止爪６３と第二係止爪６５間に確実に係止される。また、前記カップ底面支持部材２１はテーブル１１の天板部１４裏面に対して垂直下方に位置するようになる。
【００３４】
前記テーブル１１を使用状態から不使用状態にするには、図１１に示すように、前記係止解除手段７０の操作つまみ７３を上方へ押し上げる。それにより、前記係止解除爪７１が下方へ揺動して前記第一係止爪６３と第二係止爪６５間に位置するテーブル水平支持用回転アーム５３の係止端５５を押し下げ、前記第一係止爪６３の鈎形状部６４先端と第二係止爪６５先端（下端）間の隙間６６へ移動させる。その状態で、前記テーブル１１の自由側端部１３を下方へ回転させれば、前記係止端５５が第一係止爪６３と第二係止爪６５との隙間６６を通って第二係止爪６５の外へ導かれ、それにより係止が解除されるため、さらにテーブル１１を下方へ回転させることができ、図７のように車内の壁面Ｗ１等に沿って垂下した状態にできる。その際、前記カップ底面支持部材２１は、車内の壁面Ｗ１等に押されてテーブル１１の天板部１４裏側に重なるようになる。
【００３５】
なお、前記実施例では、テーブル１１の屈曲片１５が弾性変形し、その弾性復元力でテーブル１１に下方への回転力を賦与するようにされているが、それに代え、前記押圧片５０も屈曲片１５により押圧されて弾性変形し、屈曲片１５と押圧片５０の両者の弾性復元力によりテーブル１１に下方への回転力を賦与するようにしたり、あるいは、前記押圧片５０のみが弾性変形してその押圧片５０のみの弾性復元力でテーブル１１に下方への回転力を賦与するようにしてもよい。
【００３６】
【発明の効果】
以上図示したように、この発明のテーブル装置によれば、テーブル使用時にテーブルを略水平にでき、また不使用時には車内の壁面に沿って、あるいは床面から立設された支持部材等に沿って垂下した状態にできるため、邪魔になることがない。しかも、テーブルを略水平位置へ回転せる際に、テーブルにおける取付側端部の屈曲片と付勢用取付部における押圧片との両方またはいずれか一方が弾性変形し、その弾性復元力によって、テーブル水平支持用回転アームの係止端がテーブルの裏面に圧着し、またテーブル水平支持用回転アームの係止端が係止爪に確実に係止するため、ガタツキを生じることがなく、操作感及び使用感も良好であり、安心して使用することができる。加えて、テーブル裏面に手を差し込んでテーブルを係止したり、係止解除したりするという面倒な作業を行わなくてもよいため、きわめて操作性が良い。
【００３７】
さらに、本発明では、テーブル水平支持用回転アームをテーブル裏面側へ付勢するための付勢ばねとして、いわゆる「トーションバーばね」部分を有するものを用いれば、付勢ばねの耐久性、すなわちテーブル装置の耐久性を増すことができ、しかもテーブル装置をコンパクトにでき、操作性が向上する。
【００３８】
さらに、本発明では、テーブル水平支持用回転アームの係止端とテーブル裏面の係止爪との互いに当接する部分の少なくとも一方に緩衝材を設けることにより、前記ガタツキをより確実に防ぐことができ、使用感及び操作感が向上させることができる。しかも、この発明のテーブル装置は、車内の壁面やその他種々の場所に取り付けることができるため、きわめて有用である。
【００３９】
また、本発明では、テーブルにカップ挿入保持孔を形成し、その裏側にカップ底面支持部材を、カップ挿入孔裏側に垂下したりテーブル裏面に重なったりするように回転可能に設ければ、カップ類を安全に保持できるだけでなく、テーブルの垂下時にカップ底面支持部材が車内の壁面等に当たってテーブルの回転垂下を妨げることがない。
【００４０】
さらに、本発明では、前記カップ底面支持部材をカップ挿入孔裏側に垂下するようにスプリングで付勢すれば、テーブルを略水平にした際にはカップ底面支持部材がカップ挿入孔裏側に垂下した状態となり、直ちにカップ挿入孔にカップ類を挿入保持できるようになる。
【図面の簡単な説明】
【図１】この発明の一実施例に係るテーブル装置の一部切り欠き斜視図である。
【図２】その裏側から見た斜視図である。
【図３】図２の部分拡大図である。
【図４】付勢ばねの取り付けられたテーブル水平支持用回転アームの平面図である。
【図５】回転軸付近を示す斜視図である。
【図６】付勢ばねの斜視図である。
【図７】不使用時を示す図１の７−７位置での断面図である。
【図８】水平状態にする途中を示す断面図である。
【図９】使用時を示す断面図である。
【図１０】図９の部分拡大断面図である。
【図１１】係止解除時を示す断面図である。
【符号の説明】
１０  テーブル装置
１１  テーブル
１２  取付側端部
１３  自由側端部
１４  天板部
１５  屈曲片
１５ａ  屈曲片の開放端
１７  カップ挿入保持孔
２１  カップ底面支持部材
２３  カップ底面支持部材の回転軸
３１  軸部材
４１  取付部
４３  付勢用取付部
４７  背板部
４９  腕部
５０  押圧片
５３  テーブル水平支持用回転アーム
５３ａ    テーブル水平支持用回転アームのばね挿入口
５４  テーブル水平支持用回転アームの回転軸
５５    テーブル水平支持用回転アームの係止端
５６    テーブル水平支持用回転アームの側部
５７  緩衝材
６１  係止爪
７０  係止解除手段
８１  付勢ばね
８３  付勢ばねのアーム内収容部分
８４  付勢ばねの折り返し部分
８５  付勢ばねのアーム外部分
８６ａ  付勢ばねの回転用屈曲部
８７  付勢ばねの先端側
８８  付勢ばねの固定部分
Ｌ  トーションバーばね部分
【図１】
0004271309.tif 000002
【図２】
0004271309.tif 000003
【図３】
0004271309.tif 000004
【図４】
0004271309.tif 000005
【図５】
0004271309.tif 000006
【図６】
0004271309.tif 000007
【図７】
0004271309.tif 000008
【図８】
0004271309.tif 000009
【図９】
0004271309.tif 000010
【図１０】
0004271309.tif 000011
【図１１】
0004271309.tif 000012